(57)【要約】【課題】エンジン始動時には補機部品に動力が伝達されず、低いトルクでエンジンの始動を可能にするとともに、エンジン始動後には補機部品に動力を伝達することが可能なプーリユニットを提供する。【解決手段】エンジンのクランク軸１が接続される内輪８１と外輪４との間に、クラッチ部材としての円筒ころ１４を設ける。エンジンが始動する低速回転状態では内輪８１と外輪４とが切断されるため、補機部品を駆動させる必要がない。そのため、低いトルクでエンジンを回転させることが可能となり、その結果、エンジンのスタータモータを小型化・安価化できる。また、エンジンが始動した後の高速回転状態では内輪８１と外輪４とが係合状態となり、一体回転することにより、エンジンの駆動力を補機部品に伝達できる。【選択図】図３
2008185048.tif 000002
【特許請求の範囲】
【請求項１】
エンジンのクランク軸に取り付けられて駆動力を補機部品に伝達するためのプーリユニットであって、
前記クランク軸と一体回転する内輪と、
前記内輪のラジアル方向外側に同心的に配置され、ベルトを介して前記補機部品に接続されるとともに、自身の回転に伴って前記補機部品を駆動する外輪と、
前記内輪と前記外輪との間に介挿され、前記エンジンにより駆動される内輪の回転が所定回転数以下では前記内輪と前記外輪とを非係合状態にして前記内輪の独立回転を許容するとともに、前記内輪の回転が所定回転数以上となった場合に、前記内輪と前記外輪とを係合状態にして、前記内輪と前記外輪とを一体回転させるクラッチ部材とを備えることを特徴とするプーリユニット。
【請求項２】
前記内輪の外周面には、その周方向において回転後方側に向かうほど前記内輪の回転軸線までのラジアル方向距離が連続的に大きくなる形態でガイド斜面が形成され、前記外輪の内周面と前記ガイド斜面との間に、前記回転後方側に向かうほどラジアル方向の間隔が狭くなる形で、前記クラッチ部材としての円筒ころが収容されるくさび状空間が形成され、前記内輪の回転に伴って、前記円筒ころを前記くさび状空間内にて前記回転後方側に誘導する分力が前記ガイド斜面により生じるとともに、
前記内輪の回転が所定回転数以下のとき前記円筒ころを回転先行側に付勢して、前記内輪と前記外輪とを前記非係合状態に復帰させる非係合位置復帰手段としての第一付勢ばねを有し、
前記内輪の回転が所定回転数以下の場合には、前記くさび状空間の前記ラジアル方向間隔が前記円筒ころの直径よりも大きい非係合位置に前記円筒ころが退避して、前記内輪と前記外輪とを前記非係合状態とする一方、前記内輪の回転が所定回転数以上となった場合には、前記円筒ころは前記第一付勢ばねの付勢力に抗して、前記ラジアル方向間隔が前記円筒ころの直径よりも小さい係合位置に移動し、前記内輪と前記外輪とを前記係合状態とする請求項１記載のプーリユニット。
【請求項３】
前記円筒ころに関して前記第一付勢ばねの反対側に、前記内輪の回転後方側に前記円筒ころを付勢する第二付勢ばねが設けられている請求項２記載のプーリユニット。
【請求項４】
前記内輪の外周面は、前記ガイド斜面が周方向にわたって複数個形成されたセレーション状に形成され、
前記内輪に、前記円筒ころを保持するための環状の保持器が外嵌され、
前記保持器には、前記複数個のガイド斜面に各々対応した位置に、前記円筒ころを収容するためのポケット部がラジアル方向に貫通する形で形成され、前記ポケット部の周方向両端部に、前記第一付勢ばね及び前記第二付勢ばねを各々保持するばね保持部が突出形成されている請求項３記載のプーリユニット。
【発明の詳細な説明】
【技術分野】
【０００１】
本発明はプーリユニットに関するものである。
【背景技術】
【０００２】
従来から、自動車用エンジンの駆動力を利用してオルタネータやコンプレッサ、ウォータポンプ等の補機部品を駆動させるためのクランクプーリ（プーリユニット）が用いられている。このクランクプーリは、エンジンのクランク軸に取り付けられており、クランク軸の回転を利用してベルトを回し、補機部品を駆動する（例えば特許文献１参照）。
【特許文献１】特開２００１−４０１１号公報
【０００３】
ところで、クランク軸はエンジンの爆発行程によって角速度変動（角加速度）を生じるため、プーリ（クランクプーリ又は補機用プーリ）に巻回されたベルトがスリップすることがある。このスリップに起因してベルトが損傷することを防止するために、クランク軸又は補機軸に一方向クラッチを装着することが知られている（例えば特許文献２参照）。
【特許文献２】特開昭６１−２２８１５３号公報
【０００４】
特許文献２の一方向クラッチは、エンジンの爆発行程に基づくクランク軸の角速度変動（回転低下）に伴って補機軸への動力伝達を遮断（クラッチフリー状態）し、角速度が回復（回転復帰）すると動力を伝達（クラッチロック状態）する。しかし、エンジン始動時から定常運転時（所定回転数）に至る間でも、クランク軸から補機軸への動力伝達は原則として実行されている。言い換えれば、上記のように一方向クラッチがフリー状態となるごく僅かの時間（瞬間）でのみ動力伝達は遮断されるが、それを除く殆どの時間では動力伝達が継続されている。
【０００５】
一方、エンジンにはスタータモータが取り付けられ、これによってエンジンが始動される。具体的には、スタータモータを使ってエンジンのクランク軸を回転し、エンジンを始動させる。この際、クランク軸とともにクランクプーリが回転し、その動力が補機部品に伝達することになる。
【発明の開示】
【発明が解決しようとする課題】
【０００６】
すなわち、エンジンを始動する際には、スタータモータの動力を使ってエンジンと補機部品を同時に動かしている。そのため、スタータモータの負荷が大きくなるという問題があった。その結果、トルクが大きいスタータモータを搭載する必要があり、スタータモータのサイズが大きくなったり、高価になったりする問題が生じていた。
【０００７】
また、スタータモータとエンジンとの間には、ギヤ等が介在している。エンジン始動時に、上述のように補機部品を同時に駆動させると、ギヤ等に加わるトルクが大きくなるため、破損を防止するためにギヤ等を高強度で大型のものにする必要があった。
【０００８】
さらに、エンジン始動時に補機部品を同時に駆動すると、この補機部品に大きな角加速度が生じる場合があり、ストレスが加わりやすいという問題があった。
【０００９】
本発明の課題は、エンジン始動時には補機部品に動力が伝達されず、低いトルクでエンジンの始動を可能にするとともに、エンジン始動後には補機部品に動力を伝達することが可能なプーリユニットを提供することにある。
【課題を解決するための手段および発明の効果】
【００１０】
上記課題を解決するために本発明は、
エンジンのクランク軸に取り付けられて駆動力を補機部品に伝達するためのプーリユニットであって、
前記クランク軸と一体回転する内輪と、
前記内輪のラジアル方向外側に同心的に配置され、ベルトを介して前記補機部品に接続されるとともに、自身の回転に伴って前記補機部品を駆動する外輪と、
前記内輪と前記外輪との間に介挿され、前記エンジンにより駆動される内輪の回転が所定回転数以下では前記内輪と前記外輪とを非係合状態にして前記内輪の独立回転を許容するとともに、前記内輪の回転が所定回転数以上となった場合に、前記内輪と前記外輪とを係合状態にして、前記内輪と前記外輪とを一体回転させるクラッチ部材とを備えることを特徴とする。
【００１１】
このように、エンジンのクランク軸に接続されたプーリユニットにクラッチ部材（例えば遠心クラッチ）が使用されている。したがって、エンジン始動時はクラッチ部材が切り離された状態となり、補機部品への動力を遮断できる。また、エンジンが始動した後はクラッチ部材が接続され、補機部品へ動力を伝達することが可能となる。その結果、エンジン始動時に必要なトルクを低減でき、スタータモータを小型化および安価化することが可能となる。
【００１２】
さらに、エンジンとスタータモータとの間に介在するギヤ等に加わる慣性トルクを低減することもでき、従って、これらギヤ等を小型化および安価化することも可能となる。また、エンジン始動時には補機部品は稼動しないため、エンジン始動時に生じた角加速度により補機部品にストレスが加わることもなくなる。
【００１３】
より詳しくは、このようなプーリユニットは、
内輪の外周面には、その周方向において回転後方側に向かうほど内輪の回転軸線までのラジアル方向距離が連続的に大きくなる形態でガイド斜面が形成され、外輪の内周面とガイド斜面との間に、回転後方側に向かうほどラジアル方向の間隔が狭くなる形で、クラッチ部材としての円筒ころが収容されるくさび状空間が形成され、内輪の回転に伴って、円筒ころをくさび状空間内にて回転後方側に誘導する分力がガイド斜面により生じるとともに、
内輪の回転が所定回転数以下のとき円筒ころを回転先行側に付勢して、内輪と外輪とを非係合状態に復帰させる非係合位置復帰手段としての第一付勢ばねを有し、
内輪の回転が所定回転数以下の場合には、くさび状空間のラジアル方向間隔が円筒ころの直径よりも大きい非係合位置に円筒ころが退避して、内輪と外輪とを非係合状態とする一方、内輪の回転が所定回転数以上となった場合には、円筒ころは第一付勢ばねの付勢力に抗して、ラジアル方向間隔が円筒ころの直径よりも小さい係合位置に移動し、内輪と外輪とを係合状態とする。
【００１４】
上記構成によると、内輪の外周面にガイド斜面が形成され、外輪の内周面とガイド斜面との間に形成されたくさび状空間に、円筒ころ（クラッチ部材）が配置されている。エンジン始動時（所定回転数以下）は、円筒ころが非係合位置に退避するため、内輪のみが回転（非係合状態）する。またエンジン始動後（所定回転数以上）は、円筒ころは遠心力で係合位置に移動して、内輪と外輪とを係合状態にする。これにより内輪と外輪とが一体回転（係合状態）し、エンジンの駆動力が補機部品に伝達されることになる。
【００１５】
次に、円筒ころに関して第一付勢ばねの反対側に、内輪の回転後方側に円筒ころを付勢する第二付勢ばねが設けられる構成にしてもよい。
【００１６】
第一付勢ばねのみを用いて円筒ころを付勢することも可能であるが、この場合、係合位置から離れた場所まで円筒ころが押されてしまい、エンジンが高速回転（内輪の回転が所定回転数以上）しても円筒ころが係合位置に到達しにくくなる場合がある。しかし、第一付勢ばねと第二付勢ばねの双方を用いることにより、ガイド斜面の周方向中間位置にて円筒ころを保持することができ、円筒ころが係合位置に到達しやすくなる。また、円筒ころを安定して保持できるようになる。
【００１７】
次に、内輪の外周面は、ガイド斜面が周方向にわたって複数個形成されたセレーション状に形成され、
内輪に、円筒ころを保持するための環状の保持器が外嵌され、
保持器には、複数個のガイド斜面に各々対応した位置に、円筒ころを収容するためのポケット部がラジアル方向に貫通する形で形成され、ポケット部の周方向両端部に、第一付勢ばね及び第二付勢ばねを各々保持するばね保持部が突出形成されたものとすることができる。
【発明を実施するための最良の形態】
【００１８】
本発明の実施形態を、図面を参照しながら以下に説明する。
図１は本発明に係るプーリユニット１００と、その周辺の部品との関係を示す概略図である。図示するように、エンジン２を始動するためのスタータモータ２０が、ギヤ３０および一方向クラッチ２１を介してクランク軸１に接続されている。また、クランク軸１の他端にはプーリユニット１００が取り付けられ、ベルト１０を介して補機部品２２を駆動している。このプーリユニット１００には、後述するクラッチ部材が設けられており、エンジン２が始動する際の低速回転状態（所定回転数（例えば３５００〜４０００ｒｐｍ）以下）では補機部品２２へ動力を伝達せず、エンジン２が始動した後の高速回転状態（所定回転数以上）では補機部品２２へ動力を伝達するようになっている。
【００１９】
（実施例１）
図２は、本発明に係るプーリユニット１００の一例を示す縦断面図である。図示するようにプーリユニット１００は、エンジン２（図１参照）のクランク軸１を中心として取り付けられ、クランク軸１と一体回転する内輪８１と、内輪８１のラジアル方向外側に同心的に配置され、ベルト１０を介して補機部品２２（図１参照）に接続されるとともに、自身の回転に伴って補機部品２２を駆動する外輪４とを備える。
【００２０】
より詳しくは、プーリユニット１００は、ハブ３と、ブッシュ６とを備えている。ハブ３は、２個のダンパマス７，８からなり、両ダンパマス７，８は、軸方向に突き合わされて螺子９により一体的に結合されている。第一ダンパマス７は、内周にクランク軸１が嵌合される円筒形のボス７１１を有する第一環状板７１と、第一環状板７１の片面に掌合結合される第二環状板７２と、両環状板７１，７２の間に挟まれて双方に接着されるゴムダンパ７３とで構成されている。第二ダンパマス８は、第一ダンパマス７の第一環状板７１の軸方向前方に螺子９により結合されるとともに前端に径方向外向きのフランジ８１１を有する内輪８１と、内輪８１の内周前方に内嵌結合されかつ外周に径方向外向きのフランジ８２１を有する円筒部８２と、これら内輪８１と円筒部８２との間に挟まれて双方に接着されるゴムダンパ８３とで構成されている。なお、ゴムダンパ７３，８３は、クランク軸１の特に高速回転域で発生するねじり並びに曲げ共振などの現象を減衰するためのものである。
【００２１】
外輪４は、外周にベルト１０が巻き掛けられる溝を有する円筒部材からなり、内輪８１の外周に円筒ころ１４（クラッチ部材）およびブッシュ６を介して配設されている。この外輪４の一方側面は、第一ダンパマス７の第一環状板７１の側面に対して微小隙間を介して平行に対向させられ、他方側面は、内輪８１のフランジ８１１の側面に対して微小隙間を介して平行に対向させられており、両隙間は、外輪４の両側面の凹溝に嵌着されるＯリング１１，１２によりそれぞれ閉塞されている。
【００２２】
図２のＡ−Ａ断面図を図３に示す。また、図３のＣ部拡大図を図４（Ａ）及び図４（Ｂ）に示す。図示するように、内輪８１と外輪４との間に介挿され、エンジン２が始動される際の低速回転状態では内輪８１と外輪４との非係合位置に退避（図４（Ａ））して内輪８１の独立回転を許容するとともに、エンジン２が始動して内輪８１が高速回転状態となった場合に、遠心力によって内輪８１と外輪４との係合位置へ移動（図４（Ｂ））し、内輪８１と外輪４とを一体回転させる円筒ころ１４と、エンジン２が停止して低速回転状態に戻った際に円筒ころ１４を非係合位置に復帰させる第一付勢ばね１６（非係合位置復帰手段）とを有する。
【００２３】
この構成によると、エンジン２の始動時は円筒ころ１４が切り離された状態となり、補機部品２２（図１参照）への動力を遮断できる。また、エンジン２が始動した後は円筒ころ１４が接続され、補機部品２２へ動力を伝達することが可能となる。その結果、エンジン２を始動する際に必要なトルクを低減でき、スタータモータを小型化および安価化することが可能となる。さらに、エンジン２とスタータモータの間に介在するギヤ３０や一方向クラッチ２１（図１参照）に加わる慣性トルクを低減することもでき、従って、これらギヤ３０や一方向クラッチ２１を小型化および安価化することも可能となる。また、エンジン２の始動時には補機部品２２は稼動しないため、始動時の角加速度により補機部品２２にストレスが加わることもなくなる。
【００２４】
また、図３に示すように、内輪８１の外周面には、その周方向において回転後方側に向かうほど内輪８１の回転軸線Ｏまでのラジアル方向距離Ｌが連続的に大きくなる形態でガイド斜面ＧＳが形成され、外輪４の内周面とガイド斜面ＧＳとの間に、回転後方側に向かうほどラジアル方向の間隔が狭くなる形で、クラッチ係合部材としての円筒ころ１４が収容されるくさび状空間Ｂが形成されている。ガイド斜面ＧＳがこのような形状にされているため、内輪８１が回転するに伴い、円筒ころ１４をくさび状空間内Ｂにて回転後方側に誘導する分力が生じる。
【００２５】
図６に、内輪８１および外輪４を、仮想正八角形４０と共に示す。図示するようにガイド斜面ＧＳは、内輪８１の回転後方側に向かうほど回転軸線Ｏまでのラジアル方向距離Ｌが連続的に大きくなる形態で形成されており、仮想正八角形４０の外周面とは傾斜角度が異なる。ガイド斜面ＧＳがこのような形状にされているため、内輪８１が回転するに伴って、ガイド斜面ＧＳ上に配置された円筒ころ１４を回転後方側に誘導する分力が生じる。
【００２６】
図４に戻る。上述したように、非係合位置復帰手段は、円筒ころ１４を回転先行側に付勢する第一付勢ばね１６として形成されている。また、円筒ころ１４に関して第一付勢ばね１６の反対側に、内輪８１の回転後方側に円筒ころ１４を付勢する第二付勢ばね１７が設けられ、これら第一付勢ばね１６及び第二付勢ばね１７の付勢力と、誘導分力とが釣り合う位置に円筒ころ１４が保持される。
【００２７】
また、図４（Ａ）に示すように、内輪８１が低速回転状態の場合は、くさび状空間Ｂのラジアル方向間隔が円筒ころ１４の直径よりも大きい非係合位置に円筒ころ１４が退避する。さらに図４（Ｂ）に示すように、内輪８１が高速回転状態となった場合は、円筒ころ１４は第一付勢ばね１６の付勢力に抗して、ラジアル方向間隔が円筒ころ１４の直径よりも小さい係合位置に移動し、内輪８１と外輪４とを係合状態とする。これにより、内輪８１と外輪４とが一体回転し、その結果、エンジンの回転駆動力が補機部品２２（図１参照）に伝達される。
【００２８】
一方、上述したように本実施形態では、二種類のばね（第一付勢ばね１６と第二付勢ばね１７）を使って円筒ころ１４をくさび状空間Ｂ内に保持している。第二付勢ばね１７を使用せず、第一付勢ばね１６のみを用いて円筒ころ１４を付勢する方法（図７参照）を採用することもできる。ところでこの場合、係合位置から離れた位置まで円筒ころ１４が押されてしまい、エンジンが高速回転しても円筒ころ１４が係合位置に到達しにくくなる場合がある。しかし、図３，図４のように第二付勢ばね１７を設けることにより、ガイド斜面ＧＳの周方向中間位置にて円筒ころ１４を保持することができ、円筒ころ１４が係合位置に到達しやすくなる。また、第一付勢ばね１６と第二付勢ばね１７の双方を用いることにより、円筒ころ１４を安定して保持できるようになる。
【００２９】
次に、内輪８１と保持器１５の斜視図を図５に示す。図示するように、内輪８１の外周面は、ガイド斜面ＧＳが周方向にわたって複数個形成されたセレーション状に形成されている。また、内輪８１の外周面形状と同一の内周面形状を有する環状の保持器１５が、内輪８１に外嵌される。この保持器１５には、複数個のガイド斜面ＧＳに各々対応した位置に、円筒ころ１４を収容するためのポケット部Ｐがラジアル方向に貫通する形で形成され、ポケット部Ｐの周方向両端部に、第二付勢ばね１７及び第一付勢ばね１６を各々保持するばね保持部１５ａ，１５ｂが突出形成されている。
【００３０】
プーリユニット１００の製造工程では、おおまかに言うと、以下の工程が行われる。すなわち、第二ダンパマス８（図２参照）の内輪８１に対して保持器１５を外嵌し、円筒ころ１４をポケット部Ｐに収納するとともに、第二付勢ばね１７及び第一付勢ばね１６をばね保持部１５ａ，１５ｂに取り付ける。その後、外輪４を外嵌する。そして螺子９を使って、第一ダンパマス７および第二ダンパマス８を固定する。
【００３１】
（実施例２）
図８は、本発明に係るプーリユニットに用いるクラッチ部材の他の例を示す断面図である。図８に示す自動遠心クラッチ５（クラッチ部材）は、駆動側の内輪８１（回転体）に枢支軸（クラッチピン）１２４で基端部が取り付けられ、遠心力により半径方向外方に旋回する（開く）一対のクラッチウエイト１２２，１２２を備えている。各クラッチウエイト１２２は、円弧状の外周面にライニング１２３が固着され、それらのライニング１２３を外向きにして対向的に配置されている。そして各クラッチウエイト１２２，１２２は、その中央部より先端寄りの位置でスプリング１２６により連結され、相互に接近する方向に付勢されている。
【００３２】
駆動力を伝達する被駆動側の回転体には、外輪４（ドラム）が一体的に取り付けられるが、駆動側の内輪８１が所定回転数（汎用エンジンの場合、通常３５００〜４０００ｒｐｍ）以上になると、遠心力により対向するクラッチウエイト１２２の自由端側がスプリング１２６に抗して基端の枢支軸１２４を中心に半径方向外方に旋回し、外輪４の内周面にクラッチウエイト１２２の外周面のライニング１２３が接触する。これにより自動遠心クラッチ５が接続され、駆動側の動力が被駆動側へ伝達される。一方、駆動側の内輪８１の回転が所定回転数以下に下がると、スプリング１２６の引張力が遠心力に打ち勝ち、対向するクラッチウエイト１２２の自由端側が半径方向内方に旋回して外周面のライニング１２３が外輪４の内周面から離間することにより自動遠心クラッチ５が断れ、被駆動側への動力の伝達が行われなくなる。
【図面の簡単な説明】
【００３３】
【図１】プーリユニットと、その周辺の部品との関係を説明するための概略図。
【図２】本発明に係るプーリユニットの一例を示す縦断面図。
【図３】図２のＡ−Ａ断面図。
【図４】図３のＣ部拡大図を示し、（Ａ）は低速回転状態、（Ｂ）は高速回転状態を表わす。
【図５】内輪と保持器の斜視図。
【図６】内輪と外輪を、仮想正八角形とともに示す説明図。
【図７】第二付勢ばねを使用しない場合の実施形態を示す拡大図。
【図８】本発明に係るプーリユニットに用いるクラッチ部材の他の例を示す断面図。
【符号の説明】
【００３４】
１  クランク軸
２  エンジン
４  外輪
５  自動遠心クラッチ（クラッチ部材）
１０  ベルト
１４  円筒ころ（クラッチ部材）
１５  保持器
１５ａ，１５ｂ  ばね保持部
１６  第一付勢ばね（非係合位置復帰手段）
１７  第二付勢ばね
２２  補機部品
８１  内輪
１００  プーリユニット
Ｂ  くさび状空間
ＧＳ  ガイド斜面
Ｏ（内輪８１の）回転軸線
Ｐ  ポケット部
【図１】
2008185048.tif 000003
【図２】
2008185048.tif 000004
【図３】
2008185048.tif 000005
【図４】
2008185048.tif 000006
【図５】
2008185048.tif 000007
【図６】
2008185048.tif 000008
【図７】
2008185048.tif 000009
【図８】
2008185048.tif 000010